(57)【要約】      （修正有）【課題】ＩＣや磁気を内蔵し、ＩＣや前記磁気に情報データを記録しているカードを収納するカード収納ケースに対して、カードに対して反応する外部からの電磁波よりカードを守り、カードに対する情報データの破壊、盗難、複製、収集行為を防ぎ、カードに対する安全性の向上を課題としている。【解決手段】カード収納ケースにＩＣや磁気を内蔵し、前記ＩＣや前記磁気に情報データを記録しているカード１８に対して反応する電磁波を遮断するシート１９の内蔵、もしくはカード収納ケースの材料に対して電磁波を遮断する素材を設ける構成により、外部からの電磁波からＩＣや磁気に情報データが記録されたカードを守り、且つ情報データの盗難を目的とした外部機器からの複製及び収集行為を防ぐことが可能となり、盗難防止や安全性の向上に役立つセキュリティーカード収納ケース。【選択図】図１
0003110592.tif 000002
【実用新案登録請求の範囲】
【請求項１】
ＩＣや磁気を内蔵し、前記ＩＣや前記磁気に情報データを記録しているカードに対して反応する電磁波を遮断するシートにより前記カードをおおう構成にすることを特徴としたセキュリティーカード収納ケース。
【請求項２】
カード収納ケースに使用されている材料に対して、ＩＣや磁気を内蔵し、前記ＩＣや前記磁気に情報データを記録しているカードに対して反応する電磁波を遮断する素材を入れることを特徴としたセキュリティーカード収納ケース。
【考案の詳細な説明】
【技術分野】
【０００１】本考案は、ＩＣや磁気を内蔵し、前記ＩＣや前記磁気に情報データを記録しているカードに対して反応する電磁波を遮断するシートもしくはカード収納ケースの材料に対して前記電磁波を遮断する素材を設けたセキュリティーカード収納ケースに関するものである。
【背景技術】
【０００２】  従来のカード収納ケースの材料として例えば、動物の皮製、人工的に作った人工皮製、布製、ナイロン製、ビニール製などの素材を使用してつくられたカードケース、パスケース、カード収納共用の財布などが一般的であり、現状ではＩＣや磁気を内蔵し、前記ＩＣや前記磁気に情報データが書き込まれたカードを保管及び収納する携帯収納ケースとして一般的に多く使われている。
【考案の開示】
【考案が解決しようとする課題】
【０００３】  しかしながら上述の様に従来のカード収納ケースでは、動物の皮製、人工的に作った人工皮製、布製、ナイロン製、ビニール製などの素材を使用して作られているためにＩＣや磁気を内蔵し、前記ＩＣや前記磁気に情報データが記録されたカードに対して反応する外部からの電磁波を遮断することができずに前記カードに対する外部からのセキュリティーがまったくなく、前記情報データの盗難を目的とした外部機器からの複製や収集行為及び破壊を防ぐことができなかった。【０００４】  従って前記動物の皮製、人工的に作った人工皮製、布製、ナイロン製、ビニール製などの素材を使用してつくられた前記カード収納ケースにＩＣや磁気を内蔵し、前記ＩＣや前記磁気に情報データを記録しているカードに対して反応する電磁波を遮断するシートもしくは前記カード収納ケースの材料に対して前記電磁波を遮断する素材を設けた構成にすることにより、前記カードに対する前記情報データの破壊、盗難、複製、収集行為を防ぎ、前記カードに対する安全性を高めて前記情報データに対する万全なセキュリティーが可能となり前述の問題を解決しようとするものである。
【課題を解決するための手段】
【０００５】  前記問題を解決するために、本考案に係るカード収納ケースは、次のように構成したものである。【０００６】  即ち、本考案の請求項１に記載の考案は、ＩＣや磁気に情報データが記録されたカードを保管及び収納を目的としたカード収納ケースに、前記カードに対して反応する電磁波を遮断するシートを前記カードの表面側及び裏面側よりはさみこむように設置および構成することを特徴とするセキュリティーカード収納ケースである。【０００７】  本考案の請求項２に記載の考案は、ＩＣや磁気に情報データが記録されたカードを保管及び収納を目的としたカード収納ケースの材料に、前記カードに対して反応する電磁波を遮断する素材を設けて前記カードをおおう構成にすることを特徴とするセキュリティーカード収納ケースである。
【考案の効果】
【０００８】  上述のように、本考案のセキュリティーカード収納ケースは動物の皮製、人工的に作った人工皮製、布製、ナイロン製、ビニール製などでつくられたカード収納ケースにＩＣや磁気を内蔵し、前記ＩＣや前記磁気に情報データを記録しているカードに対して反応する電磁波を遮断するシートの内蔵、もしくはカード収納ケースの材料に対して前記電磁波を遮断する素材を設けて前記カードをおおう構成により、外部からの前記電磁波からＩＣや磁気に情報データが記録されたカードを守り、且つ前記情報データの盗難を目的とした外部機器からの複製及び収集行為を防ぐことが可能となり、盗難防止として役立つ。
【考案を実施するための最良の形態】
【０００９】  動物の皮製、人工的に作った人工皮製、布製、ナイロン製、ビニール製などでつくられた一般的に使用されている携帯用カード収納ケース、例えばカードケース、パスケース、カード収納共用の財布などの内側に、ＩＣや磁気に情報データが記録されたカードの表面側及び裏面側よりはさみこむように前記カードに対して反応する電磁波を遮断するシートを設置および構成することで前記情報データの盗難を目的とした外部機器からの複製及び収集行為を防ぐことが可能となり、前記カード内の前記情報データに対する盗難防止として役立つ。【００１０】  一般的に使用されているカード収納ケースの材料に対してＩＣや磁気を内蔵し、前記ＩＣや前記磁気に情報データを記録しているカードに対して反応する電磁波を遮断する素材で前記カード収納ケースの表面及び裏面を作り前記カードをおおう構成により、前記カードに対して反応する外部からの電磁波を遮断し、ＩＣや磁気に情報データが記録された前記カードを守り、且つ前記情報データの盗難を目的とした外部機器からの複製及び収集行為を防ぐことが可能となり、前記カード内の前記情報データに対する盗難防止として役立つ。
【実施例】
【００１１】  以下、本考案に係るセキュリティーカード収納ケースの実施の形態を図１、図２、図３に基づいて詳細に説明する。【００１２】  図１は本考案の一実施例を適用した一般的に使用されている動物の皮でつくられたカード収納共用の財布にＩＣや磁気を内蔵し、前記ＩＣや前記磁気に情報データを記録しているカードに対して反応する電磁波を遮断するシートを設置したセキュリティーカード収納ケースの概要を模式的に示す構成説明図である。【００１３】  図２は本考案の一実施例を適用した図１のセキュリティーカード収納ケースの断面図および外部機器からのセキュリティーの概要を模式的に示す構成説明図である。【００１４】  図３は本考案の一実施例を適用したカード収納ケースの材料に対してＩＣや磁気を内蔵し、前記ＩＣや前記磁気に情報データを記録しているカードに対して反応する電磁波を遮断する素材と動物の皮製および布製を用いた構成のセキュリティーカード収納ケース断面図および構成の概要を模式的に示す構成説明図である。【００１５】  即ち、図１に示す実施例、一般的に使用されている動物の皮でつくられたカード収納共用の財布にＩＣや磁気を内蔵し、前記ＩＣや前記磁気に情報データを記録しているカードに対して反応する電磁波を遮断するシートを設置したセキュリティーカード収納ケースの構成において、カード収納共用の財布１０のカード収納部１１と小銭収納部１２をＡ面１３とし、前記カード収納共用の財布１０のお札収納部Ｂ１４をＢ面１５とした時、前記カード収納共用の財布１０の中心部Ｃ部１６より折りたためる構成の前記カード収納共用の財布１０において、前記カード収納部１１の裏側にあるお札収納部Ａ１７および前記お札収納部Ｂ１４に前記ＩＣや前記磁気に情報データ２２を記録しているカード１８に対して反応する電磁波を遮断するメッシュ上に形成された電磁波シールドシート１９を各１枚づつ設置する。【００１６】  上述のように前記電磁波シールドシート１９を設置したカード収納共用の財布１０に対して、図２に示す実施例、前記Ｃ部１６を中心に前記Ａ部１３、前記Ｂ部１５を折りたたむことにより、前記カード１８を前記電磁波シールドシート１９で上部と下部よりはさみこむ構成となり、外部機器２０からの電磁波２１を遮断して前記カード１８内にある前記ＩＣや前記磁気に記録されている情報データ２２を保護することが可能となる。【００１７】  即ち、図３に示す実施例、前記カード収納共用の財布１０の材料として一般的に使用されている動物の皮製２３に対して前記電磁波シールドシート１９をはさんで密閉する構成もしくは、布製２４に対しては電磁波シールド繊維２５をメッシュ状に編みこむ構成により、前記外部機器２０からの前記電磁波２１を遮断して前記カード１８内にある前記ＩＣや前記磁気に記録されている情報データ２２を保護することが可能となる。【００１８】  一般的に使用されているカード収納共用の財布１０の材料は、上述の内容は一例であり、前記材料に電磁波シールド材を内蔵する方法として接着、圧入、編みこみなど多数存在する。【００１９】  通常の電磁波シールドシート１９は、電磁波の周波数遮断範囲の仕様により材料及び構成内容が異なるが、材料としては、ニッケル、コバルト、クロム、アルミ、チタン、銀、プラチナ、金、銅、マンガンなどを使用してメッシュ状やシート状に加工構成するのが一般的に使用されている。【００２０】  従って本実施例の構成では、先に述べた従来例の場合と比較して次のようなそれぞれの効果が得られる。即ち、
（１）ＩＣや磁気に情報データが記録されたカードを保管もしくは収納を目的とした現在使用されているカード収納ケースに、前記カードに対して反応する電磁波を遮断するシートを前記カードの表面側及び裏面側よりはさみこむように設置および構成することで、前記情報データの盗難を目的とした外部機器からの複製及び収集行為を防ぐことが可能となり、新規、もしくは現在使用されているカード収納ケースに対して簡易に低価格で前記カード内の前記情報データに対する盗難防止が可能であること。
（２）ＩＣや磁気を内蔵し、前記ＩＣや前記磁気に情報データを記録しているカードに対して反応する電磁波を遮断する素材を用いて前記カード収納ケースを構成することにより、前記カードに反応する外部からの電磁波を遮断し、ＩＣや磁気に情報データが記録された前記カードを守り、且つ前記情報データの盗難を目的とした外部機器からの複製及び収集行為を防ぐことが可能となり、前記カード内の前記情報データに対する盗難防止が可能であること。
【図面の簡単な説明】
【００２１】
【図１】  図１は本考案の一実施例を適用した一般的に使用されている動物の皮でつくられたカード収納共用の財布にＩＣや磁気を内蔵し、前記ＩＣや前記磁気に情報データを記録しているカードに対して反応する電磁波を遮断するシートを設置したセキュリティーカード収納ケースの概要を模式的に示す構成説明図である。
【図２】  図２は本考案の一実施例を適用した図１のセキュリティーカード収納ケースの断面図および外部機器からのセキュリティーの概要を模式的に示す構成説明図である。
【図３】  図３は本考案の一実施例を適用したカード収納ケースの材料に対してＩＣや磁気を内蔵し、前記ＩＣや前記磁気に情報データを記録しているカードに対して反応する電磁波を遮断する素材と動物の皮製および布製を用いた構成のセキュリティーカード収納ケース断面図及び構成の概要を模式的に示す構成説明図である。
【符号の説明】
【００２２】１０  カード収納共用の財布
１１  カード収納部
１２  小銭収納部
１３  Ａ面
１４  お札収納部Ｂ
１５  Ｂ面
１６  Ｃ部
１７  お札収納部Ａ
１８  カード
１９  電磁波シールドシート
２０  外部機器（リーダー／ライター）
２１  電磁波
２２  情報データ
２３  動物の皮製
２４  布製
２５  電磁波シールド繊維
【図１】
0003110592.tif 000003
【図２】
0003110592.tif 000004
【図３】
0003110592.tif 000005